(57)【特許請求の範囲】
【請求項１】
データ送信装置とデータ受信装置とを備える通信システムであって、
前記データ送信装置は、
アクセスポイントを介さずに無線通信を実行するための第１の無線設定と、前記アクセスポイントを介して無線通信を実行するための第２の無線設定と、を格納する第１のメモリと、
前記第１のメモリ内の前記第１の無線設定及び前記第２の無線設定のうちの前記データ送信装置の現在の無線設定を用いて、特定のデータを前記データ受信装置に無線で送信する送信部と、
前記データ送信装置の現在の無線設定が前記第２の無線設定である状態で、前記第２の無線設定を用いて、前記データ受信装置と通信可能であるのか否かを確認する第１の確認処理を実行する第１の確認部と、
前記第１の確認処理において、前記データ受信装置と通信不可能であると確認される場合に、前記データ送信装置の現在の無線設定を前記第２の無線設定から前記第１の無線設定に変更する第１の変更部と、を備え、
前記データ受信装置は、
前記第１の無線設定と、前記アクセスポイントを介して無線通信を実行するための第３の無線設定と、を格納する第２のメモリと、
前記第２のメモリ内の前記第１の無線設定及び前記第３の無線設定のうちの前記データ受信装置の現在の無線設定を用いて、前記特定のデータを前記データ送信装置から無線で受信する受信部と、
前記データ受信装置の現在の無線設定が前記第３の無線設定である状態で、前記第３の無線設定を用いて、前記データ送信装置と通信可能であるのか否かを確認する第２の確認処理を実行する第２の確認部と、
前記第２の確認処理において、前記データ送信装置と通信不可能であると確認される場合に、前記データ受信装置の現在の無線設定を前記第３の無線設定から前記第１の無線設定に変更する第２の変更部と、を備え、
前記データ送信装置の前記第１の変更部は、前記データ送信装置の現在の無線設定が前記第２の無線設定から前記第１の無線設定に変更されてから所定の期間が経過するまでの間に、前記特定のデータが前記データ受信装置に送信されない場合に、前記所定の期間が経過すると、前記データ送信装置の現在の無線設定を前記第１の無線設定から前記第２の無線設定に変更し、
前記データ受信装置の前記第２の変更部は、前記データ受信装置の現在の無線設定が前記第３の無線設定から前記第１の無線設定に変更されてから前記所定の期間が経過するまでの間に、前記特定のデータが前記データ送信装置から受信されない場合に、前記所定の期間が経過した後も、前記データ受信装置の現在の無線設定として前記第１の無線設定を維持する、
通信システム。
【請求項２】
前記データ受信装置の前記第２の変更部は、さらに、前記データ受信装置の現在の無線設定が前記第３の無線設定から前記第１の無線設定に変更された後に、前記特定のデータが前記データ送信装置から受信される場合に、前記データ受信装置の現在の無線設定を前記第１の無線設定から前記第３の無線設定に変更する、請求項１に記載の通信システム。
【請求項３】
前記特定のデータは、前記データ送信装置から前記データ受信装置に送信されるべきＦＡＸデータを含み、
前記データ送信装置は、さらに、
特定の原稿をスキャンして前記ＦＡＸデータを生成するスキャン実行部を備え、
前記データ受信装置は、前記データ送信装置の付属装置であって、原稿をスキャンして前記ＦＡＸデータを生成するための機能を備えていない前記付属装置であり、
前記データ受信装置は、さらに、
一般公衆回線が接続されるインターフェースと、
前記インターフェースを用いて、前記一般公衆回線を介した前記ＦＡＸデータの送信を実行するＦＡＸ通信部と、を備える、請求項１又は２に記載の通信システム。
【請求項４】
データ送信装置とデータ受信装置とを備える通信システムであって、
前記データ送信装置は、
アクセスポイントを介さずに無線通信を実行するための第１の無線設定と、前記アクセスポイントを介して無線通信を実行するための第２の無線設定と、を格納する第１のメモリと、
前記第１のメモリ内の前記第１の無線設定及び前記第２の無線設定のうちの前記データ送信装置の現在の無線設定を用いて、特定のデータを前記データ受信装置に無線で送信する送信部と、
前記データ送信装置の現在の無線設定が前記第２の無線設定である状態で、前記第２の無線設定を用いて、前記データ受信装置と通信可能であるのか否かを確認する第１の確認処理を実行する第１の確認部と、
前記第１の確認処理において、前記データ受信装置と通信不可能であると確認される場合に、前記データ送信装置の現在の無線設定を前記第２の無線設定から前記第１の無線設定に変更する第１の変更部と、を備え、
前記データ受信装置は、
前記第１の無線設定と、前記アクセスポイントを介して無線通信を実行するための第３の無線設定と、を格納する第２のメモリと、
前記第２のメモリ内の前記第１の無線設定及び前記第３の無線設定のうちの前記データ受信装置の現在の無線設定を用いて、前記特定のデータを前記データ送信装置から無線で受信する受信部と、
前記データ受信装置の現在の無線設定が前記第３の無線設定である状態で、前記第３の無線設定を用いて、前記データ送信装置と通信可能であるのか否かを確認する第２の確認処理を実行する第２の確認部と、
前記第２の確認処理において、前記データ送信装置と通信不可能であると確認される場合に、前記データ受信装置の現在の無線設定を、前記第３の無線設定から前記第１の無線設定に変更する第２の変更部と、を備え、
前記データ受信装置の前記第２の変更部は、前記データ受信装置の現在の無線設定が前記第３の無線設定から前記第１の無線設定に変更されてから所定の期間が経過するまでの間に、前記特定のデータが前記データ送信装置から受信されない場合に、前記所定の期間が経過すると、前記データ受信装置の現在の無線設定を前記第１の無線設定から前記第３の無線設定に変更し、
前記データ送信装置の前記第１の変更部は、前記データ受信装置の現在の無線設定が前記第２の無線設定から前記第１の無線設定に変更されてから前記所定の期間が経過するまでの間に、前記特定のデータが前記データ受信装置に送信されない場合に、前記所定の期間が経過した後も、前記データ送信装置の現在の無線設定として前記第１の無線設定を維持する、
通信システム。
【請求項５】
前記データ送信装置の前記第１の変更部は、さらに、前記データ受信装置の現在の無線設定が前記第２の無線設定から前記第１の無線設定に変更された後に、前記特定のデータが前記データ受信装置に送信される場合に、前記データ受信装置の現在の無線設定を前記第１の無線設定から前記第２の無線設定に変更する、請求項４に記載の通信システム。
【請求項６】
前記特定のデータは、前記データ送信装置から前記データ受信装置に送信されるべきＦＡＸデータを含み、
前記データ受信装置は、さらに、
前記ＦＡＸデータによって表わされる特定の画像をユーザに提供する提供部を備え、
前記データ送信装置は、前記データ受信装置の付属装置であって、前記ＦＡＸデータによって表わされる画像を前記ユーザに提供するための機能を備えていない前記付属装置であり、
前記データ送信装置は、さらに、
一般公衆回線が接続されるインターフェースと、
前記インターフェースを用いて、前記一般公衆回線を介した前記ＦＡＸデータの受信を実行するＦＡＸ通信部と、を備える、請求項４又は５に記載の通信システム。
【発明の詳細な説明】
【技術分野】
【０００１】
本明細書では、データ受信装置にデータを無線で送信するデータ送信装置、及び、データ送信装置からデータを無線で受信するデータ受信装置を開示する。
【背景技術】
【０００２】
例えば、特許文献１には、一対のデバイスがアクセスポイントを介して無線通信するためのシステムが開示されている。即ち、特許文献１には、インフラストラクチャの無線通信技術が開示されている。なお、一対のデバイスが、アクセスポイントを介さずに無線通信するための技術も知られている。即ち、アドホックの無線通信技術も知られている。
【先行技術文献】
【特許文献】
【０００３】
【特許文献１】特開平２００７−２８８３１２号公報
【発明の概要】
【発明が解決しようとする課題】
【０００４】
インフラストラクチャの無線通信技術でも、アドホックの無線通信技術でも、一対のデバイスが適切に無線通信するためには、一対のデバイスのそれぞれに同じ無線設定（例えば、認証方式、暗号化方式等）を設定する必要がある。即ち、一対のデバイスに異なる無線設定が設定された状態では、通常、一対のデバイスが適切に無線通信することができない。また、一対のデバイスに同じ無線設定が設定されていても、通信環境等の理由（例えばデバイスとアクセスポイントとの間の距離が遠い）によって、一対のデバイスが適切に無線通信することができないこともある。
【０００５】
本明細書では、一対のデバイスが適切に無線通信することができない事象が発生するのを抑制し得る技術を提供する。
【課題を解決するための手段】
【０００６】
本明細書では、第１無線設定を格納しているデータ受信装置にデータを無線で送信するデータ送信装置を開示する。データ送信装置は、メモリと、第１の確認部と、第１の変更部と、送信部と、を備える。メモリは、第１の無線設定を格納する。第１の確認部は、特定のデータがデータ受信装置に送信されるべき際に、データ送信装置の現在の無線設定である第２の無線設定であって、第１の無線設定と異なる第２の無線設定を用いて、データ受信装置と通信可能であるのか否かを確認する第１の確認処理を実行する。第１の変更部は、第１の確認処理において、データ受信装置と通信不可能であると確認される場合に、データ送信装置の現在の無線設定を、第２の無線設定から第１の無線設定に変更する。送信部は、データ送信装置の変更後の現在の無線設定である第１の無線設定を用いて、上記の特定のデータをデータ受信装置に無線で送信する。
【０００７】
上記の構成によると、データ送信装置は、上記の特定のデータがデータ受信装置に送信されるべき際に、データ送信装置の現在の無線設定（即ち第２の無線設定）を用いた無線通信をデータ受信装置と実行可能であるのか否かを確認する。データ送信装置は、データ受信装置と通信不可能であることが確認される場合に、現在の無線設定を第２の無線設定からメモリ内の第１の無線設定に変更する。データ受信装置が第１無線設定を格納しているために、データ送信装置は、変更後の現在の無線設定（即ち第１の無線設定）を用いて、上記の特定のデータをデータ受信装置に無線で送信し得る。従って、一対のデバイス（即ちデータ送信装置及びデータ受信装置）が適切に無線通信することができない事象が発生するのを抑制し得る。
【０００８】
第１の確認処理において、データ受信装置と通信可能であると確認される場合に、第１の変更部は、データ送信装置の現在の無線設定を、第２の無線設定から第１の無線設定に変更せず、送信部は、データ送信装置の現在の無線設定である第２の無線設定を用いて、上記の特定のデータをデータ受信装置に無線で送信してもよい。
【０００９】
データ送信装置は、さらに、一般公衆回線が接続されるインターフェースと、インターフェースを用いて、一般公衆回線を介したＦＡＸデータの通信を実行するＦＡＸ通信部と、を備えていてもよい。上記の特定のデータは、ＦＡＸ通信部が一般公衆回線を介して受信する特定のＦＡＸデータを含んでいてもよい。この構成によると、データ送信装置は、データ送信装置自身が一般公衆回線を介して受信する上記の特定のＦＡＸデータを、データ受信装置に無線で送信し得る。
【００１０】
データ受信装置は、上記の特定のＦＡＸデータによって表わされる特定の画像をユーザに提供する提供部を備えていてもよい。データ送信装置は、データ受信装置の付属装置であって、ＦＡＸデータによって表わされる画像をユーザに提供するための機能を備えていない付属装置であってもよい。
【００１１】
データ受信装置は、一般公衆回線が接続されるインターフェースと、インターフェースを用いて、一般公衆回線を介したＦＡＸデータの通信を実行するＦＡＸ通信部と、を備えていてもよい。上記の特定のデータは、データ受信装置が一般公衆回線を介して送信すべき特定のＦＡＸデータを含んでいてもよい。この構成によると、データ送信装置は、データ受信装置が一般公衆回線を介して送信すべき上記の特定のＦＡＸデータを、データ受信装置に無線で送信し得る。
【００１２】
データ送信装置は、さらに、特定の原稿をスキャンして上記の特定のＦＡＸデータを生成するスキャン実行部を備えていてもよい。データ受信装置は、データ送信装置の付属装置であって、原稿をスキャンしてＦＡＸデータを生成するための機能を備えていない付属装置であってもよい。
【００１３】
第１の変更部は、データ送信装置の現在の無線設定を、第２の無線設定から第１の無線設定に変更した後に、少なくとも特定のタイミングまで、データ送信装置の現在の無線設定として第１の無線設定を維持してもよい。上記の特定のタイミングは、データ受信装置への上記の特定のデータの送信が完了するタイミングであってもよい。この構成によると、データ送信装置は、第１の無線設定を用いて、データ受信装置に上記の特定のデータを適切に無線で送信し得る。
【００１４】
第１の変更部は、さらに、データ受信装置への上記の特定のデータの送信が完了した際に、データ送信装置の現在の無線設定を、第１の無線設定から第２の無線設定に変更してもよい。この構成によると、データ送信装置は、データ受信装置への上記の特定のデータの送信が完了した後に、第２の無線設定を用いて、無線通信を実行し得る。
【００１５】
本明細書では、第１の無線設定を格納しているデータ送信装置からデータを無線で受信するデータ受信装置を開示する。データ受信装置は、メモリと、第２の確認部と、第２の変更部と、受信部と、を備える。メモリは、第１の無線設定を格納する。第２の確認部は、データ受信装置の現在の無線設定である第２の無線設定であって、第１の無線設定と異なる第２の無線設定を用いて、データ送信装置と通信可能であるのか否かを確認する第２の確認処理を繰り返し実行する。第２の変更部は、第２の確認処理において、データ送信装置と通信不可能であると確認される場合に、データ受信装置の現在の無線設定を、第２の無線設定から第１の無線設定に変更する。受信部は、データ受信装置の変更後の現在の無線設定である第１の無線設定を用いて、上記の特定のデータをデータ送信装置から無線で受信する。
【００１６】
上記の構成によると、データ受信装置は、データ受信装置の現在の無線設定（即ち第２の無線設定）を用いた無線通信をデータ送信装置と実行可能であるのか否かを確認することを繰り返す。データ受信装置は、データ送信装置と通信不可能であることが確認される場合に、現在の無線設定を第２の無線設定からメモリ内の第１の無線設定に変更する。データ送信装置が第１無線設定を格納しているために、データ受信装置は、変更後の現在の無線設定（即ち第１の無線設定）を用いて、上記の特定のデータをデータ送信装置から無線で受信し得る。従って、一対のデバイス（即ちデータ送信装置及びデータ受信装置）が適切に無線通信することができない事象が発生するのを抑制し得る。
【００１７】
第２の確認処理において、データ送信装置と通信可能であると確認される場合に、第２の変更部は、データ受信装置の現在の無線設定を、第２の無線設定から第１の無線設定に変更せず、受信部は、データ受信装置の現在の無線設定である第２の無線設定を用いて、上記の特定のデータをデータ送信装置から無線で受信してもよい。
【００１８】
データ受信装置は、さらに、一般公衆回線が接続されるインターフェースと、インターフェースを用いて、一般公衆回線を介したＦＡＸデータの通信を実行するＦＡＸ通信部と、を備えていてもよい。上記の特定のデータは、データ受信装置が一般公衆回線を介して送信すべき特定のＦＡＸデータを含んでいてもよい。この構成によると、データ受信装置は、データ受信装置自身が一般公衆回線を介して送信すべき上記の特定のＦＡＸデータを、データ送信装置から無線で受信し得る。
【００１９】
データ送信装置は、特定の原稿をスキャンして上記の特定のＦＡＸデータを生成するスキャン実行部を備えていてもよい。データ受信装置は、データ送信装置の付属装置であって、原稿をスキャンしてＦＡＸデータを生成するための機能を備えていない付属装置であってもよい。
【００２０】
データ送信装置は、一般公衆回線が接続されるインターフェースと、インターフェースを用いて、一般公衆回線を介したＦＡＸデータの通信を実行するＦＡＸ通信部と、を備えていてもよい。上記の特定のデータは、データ送信装置が一般公衆回線を介して受信する特定のＦＡＸデータを含んでいてもよい。この構成によると、データ受信装置は、データ送信装置が一般公衆回線を介して受信する上記の特定のＦＡＸデータを、データ送信装置から無線で受信し得る。
【００２１】
データ受信装置は、さらに、上記の特定のＦＡＸデータによって表わされる特定の画像をユーザに提供する提供部を備えていてもよい。データ送信装置は、データ受信装置の付属装置であって、ＦＡＸデータによって表わされる画像をユーザに提供するための機能を備えていない付属装置であってもよい。
【００２２】
データ送信装置は、上記の特定のデータがデータ受信装置に送信されるべき際に、データ送信装置の現在の無線設定を用いて、データ受信装置と通信可能であるのか否かを確認するための信号を無線で送信してもよい。データ受信装置は、さらに、データ受信装置の現在の無線設定が、第２の無線設定から第１の無線設定に変更された後の所定の期間内に、データ送信装置から上記の信号を無線で受信したのか否かを判断する判断部を備えていてもよい。第２の変更部は、さらに、所定の期間内に上記の信号を受信しなかったと判断される場合に、所定の期間の経過後に、データ受信装置の現在の無線設定を、第１の無線設定から第２の無線設定に変更してもよい。この構成によると、データ受信装置は、所定の期間内に上記の信号を受信しなかった場合に、現在の無線設定を第１の無線設定から第２の無線設定に戻す。従って、データ受信装置は、所定の期間の経過後に、第２の無線設定を用いて、無線通信を実行し得る。
【００２３】
第２の変更部は、データ受信装置の現在の無線設定を、第２の無線設定から第１の無線設定に変更した後に、少なくとも特定のタイミングまで、データ受信装置の現在の無線設定として第１の無線設定を維持してもよい。上記の特定のタイミングは、データ送信装置からの上記の特定のデータの受信が完了するタイミングであってもよい。この構成によると、データ受信装置は、第１の無線設定を用いて、データ送信装置から上記の特定のデータを適切に無線で受信し得る。
【００２４】
第２の変更部は、さらに、データ送信装置からの上記の特定のデータの受信が完了した際に、データ受信装置の現在の無線設定を、第１の無線設定から第２の無線設定に変更してもよい。この構成によると、データ受信装置は、データ送信装置からの上記の特定のデータの受信が完了した後に、第２の無線設定を用いて、無線通信を実行し得る。
【００２５】
第１の無線設定は、データ送信装置及びデータ受信装置が、アクセスポイントを介さずに直接的に無線通信を実行するためのアドホックモードの無線設定であってもよい。
【００２６】
なお、上記のデータ送信装置を実現するための制御方法、コンピュータプログラム、及び、当該コンピュータプログラムを格納するコンピュータ読取可能記憶媒体も新規で有用である。また、上記のデータ受信装置を実現するための制御方法、コンピュータプログラム、及び、当該コンピュータプログラムを格納するコンピュータ読取可能記憶媒体も新規で有用である。また、上記のデータ送信装置及びデータ受信装置を備える無線通信システムも新規で有用である。
【図面の簡単な説明】
【００２７】
【図１】実施例の無線通信システムの構成を示す。
【図２】多機能機によって実行される処理のフローチャートを示す。
【図３】通話デバイスによって実行される処理のフローチャートを示す。
【図４】多機能機及び通信デバイスの両方に同じ無線設定が設定されている場合に、通話デバイスがＰＳＴＮを介してＦＡＸデータを受信する例を示す。
【図５】多機能機及び通信デバイスに異なる無線設定が設定されている場合に、通話デバイスがＰＳＴＮを介してＦＡＸデータを受信する例を示す。
【図６】多機能機及び通信デバイスの両方に同じ無線設定が設定されている場合に、多機能機にＦＡＸ送信操作が実行される例を示す。
【図７】多機能機及び通信デバイスに異なる無線設定が設定されている場合に、多機能機にＦＡＸ送信操作が実行される例を示す。
【発明を実施するための形態】
【００２８】
（システムの構成）
図１に示されるように、無線通信システム２は、ＰＣ（パーソナルコンピュータ）４と、ＡＰ（アクセスポイント）６と、多機能機１０と、通話デバイス７０と、を備える。ＰＣ４は、ＡＰ６を介して、他のデバイス（例えば多機能機１０）と無線通信可能である。多機能機１０及び通話デバイス７０は、ＡＰ６を介して、又は、ＡＰ６を介さずに、相互に無線通信可能である。即ち、多機能機１０及び通話デバイス７０は、インフラストラクチャの無線通信又はアドホックの無線通信を実行可能である。なお、本実施例では、ＩＥＥＥ（The Institute of Electrical and Electronics Engineers, Inc.）の８０２．１１の規格、及び、それに準ずる規格（例えば８０２．１１ａ，１１ｂ等）に基づいて、無線通信が実行される。従って、後述の無線設定ＷＳ１，ＷＳ２，ＷＳ３は、上記の規格に適合する無線設定である。
【００２９】
（多機能機１０の構成）
多機能機（「親機」と呼んでもよい）１０は、操作部１２と、表示部１４と、印刷実行部１６と、スキャン実行部１８と、無線インターフェース２０と、制御部３０と、を備える。操作部１２は、複数のキーを備える。ユーザは、操作部１２を操作することによって、様々な指示を多機能機１０に入力することができる。表示部１４は、様々な情報を表示するためのディスプレイである。印刷実行部１６は、インクジェット方式、レーザ方式等の印刷機構である。スキャン実行部１８は、ＣＣＤ、ＣＩＳ等のスキャン機構である。無線インターフェース２０は、無線通信を実行するためのインターフェースである。
【００３０】
制御部３０は、ＣＰＵ３２と、ＮＶＲＡＭ（不揮発性メモリ）３４と、ＶＲＡＭ（揮発性メモリ）４０と、を備える。ＣＰＵ３２は、多機能機１０のＲＯＭ（図示省略）に格納されているプログラムに従って、様々な処理を実行する。ＣＰＵ３２が当該プログラムに従って処理を実行することによって、各部５２〜６２の機能が実現される。
【００３１】
ＮＶＲＡＭ３４は、指定設定領域３６と初期設定領域３８とを備える。初期設定領域３８は、多機能機１０のベンダによって予め決められた無線設定（即ち、デフォルトの認証方式、デフォルトの暗号化方式、デフォルトのパスワード等）を格納するための記憶領域である。以下では、初期設定領域３８に記憶される無線設定のことを「初期設定ＷＳ１」と呼ぶ。初期設定ＷＳ１は、多機能機１０の出荷段階において、多機能機１０に予め格納されている。初期設定ＷＳ１は、アクセスポイント６を介さない無線通信を実現するためのアドホックの無線設定である。
【００３２】
ユーザは、多機能機１０が初期設定ＷＳ１と異なる無線設定を利用することを望む場合に、例えば、多機能機１０の操作部１２を操作して、多機能機１０が利用すべき無線設定（即ち、認証方式、暗号化方式、パスワード等）を指定することができる。以下では、ユーザによって指定される多機能機１０の無線設定のことを「指定設定ＷＳ２」と呼ぶ。なお、ＵＳＢケーブル等の有線によって、多機能機１０とＰＣ４とが通信可能に接続されている場合には、ユーザは、例えば、ＰＣ４の操作部を操作して、指定設定ＷＳ２を指定すてもよい。指定設定領域３６は、指定設定ＷＳ２を格納するための記憶領域である。なお、本実施例では、指定設定ＷＳ２は、アクセスポイント６を介して無線通信を実現するためのインフラストラクチャの無線設定である。従って、指定設定ＷＳ２は、アドホックの無線設定である初期設定ＷＳ１と異なる。
【００３３】
ＶＲＡＭ４０は、無線設定ワーク領域４２を備える。無線設定ワーク領域４２は、多機能機１０の現在の無線設定（即ち多機能機１０が現在利用すべき無線設定）を格納するための記憶領域である。多機能機１０が出荷されてから、ユーザによって指定設定ＷＳ２が指定されるまでの間には、初期設定ＷＳ１が無線設定ワーク領域４２に格納される。ユーザによって指定設定ＷＳ２が指定された後には、通常、指定設定ＷＳ２が無線設定ワーク領域４２に格納される。
【００３４】
（通話デバイス７０の構成）
通話デバイス（「子機」と呼んでもよい）７０は、それ単体では出荷されず、多機能機１０と共に出荷される。通話デバイス７０は、マイク７２と、スピーカ７４と、ＰＳＴＮインターフェース７６と、無線インターフェース７８と、制御部８０と、を備える。通話デバイス７０がマイク７２とスピーカ７４を備えるために、ユーザは、通話デバイス７０を用いて、ＰＳＴＮ８を介した電話通信を実行することができる。ＰＳＴＮインターフェース７６は、一般公衆回線網であるＰＳＴＮ（Public Switched Telephone Network）８に接続される。具体的には、ＰＳＴＮインターフェース７６には、ＰＳＴＮケーブルの一端が接続される。ＰＳＴＮケーブルの他端は、例えば、家庭内のＰＳＴＮ用ソケットに接続される。無線インターフェース７８は、無線通信を実行するためのインターフェースである。
【００３５】
制御部８０は、ＣＰＵ８２と、ＮＶＲＡＭ８４と、ＶＲＡＭ９０と、を備える。ＣＰＵ８２は、通話デバイス７０のＲＯＭ（図示省略）に格納されているプログラムに従って、様々な処理を実行する。ＣＰＵ８２が当該プログラムに従って処理を実行することによって、各部１０２〜１１０の機能が実現される。
【００３６】
ＮＶＲＡＭ８４は、指定設定領域８６と初期設定領域８８とを備える。初期設定領域８８は、多機能機１０と同じアドホックの初期設定ＷＳ１を格納するための記憶領域である。初期設定ＷＳ１は、通話デバイス７０の出荷段階（即ち多機能機１０の出荷段階）において、通話デバイス７０に予め格納されている。
【００３７】
ユーザは、通話デバイス７０が初期設定ＷＳ１と異なる無線設定を利用することを望む場合に、例えば、多機能機１０の操作部１２を操作して、通話デバイス７０が利用すべき無線設定（即ち、認証方式、暗号化方式、パスワード等）を指定することができる。以下では、ユーザによって指定される通話デバイス７０の無線設定のことを「指定設定ＷＳ３」と呼ぶ。多機能機１０は、通話デバイス７０のための指定設定ＷＳ３が指定されると、多機能機１０の現在の無線設定（例えば初期設定ＷＳ１）を用いて、指定設定ＷＳ３を通話デバイス７０に無線で送信する。これにより、通話デバイス７０は、指定設定ＷＳ３を取得することができる。なお、ＵＳＢケーブル等の有線によって、多機能機１０とＰＣ４とが通信可能に接続されている場合には、ユーザは、例えば、ＰＣ４の操作部を操作して、指定設定ＷＳ３を指定してもよい。また、変形例では、ユーザが通話デバイス７０の操作部（図示省略）を操作して、指定設定ＷＳ３を通話デバイス７０に入力可能な構成を採用してもよい。
【００３８】
指定設定領域８６は、指定設定ＷＳ３を格納するための記憶領域である。なお、本実施例では、指定設定ＷＳ３は、インフラストラクチャの無線設定である。従って、指定設定ＷＳ３は、アドホックの初期設定ＷＳ１と異なる。
【００３９】
ＶＲＡＭ９０は、無線設定ワーク領域９２を備える。無線設定ワーク領域９２は、通話デバイス７０の現在の無線設定（即ち通話デバイス７０が現在利用すべき無線設定）を格納するための記憶領域である。多機能機１０と共に通話デバイス７０が出荷されてから、ユーザによって指定設定ＷＳ３が指定されるまでの間には、初期設定ＷＳ１が無線設定ワーク領域９２に格納される。ユーザによって指定設定ＷＳ３が指定された後には、通常、指定設定ＷＳ３が無線設定ワーク領域９２に格納される。このように、多機能機１０及び通話デバイス７０のそれぞれは、出荷段階において、自身の無線設定として初期設定ＷＳ１が設定されており、相互に通信可能な状態となっている。
【００４０】
（ＦＡＸ機能）
多機能機１０及び通話デバイス７０が協働して処理を実行することによって、ＦＡＸ機能が実現される。例えば、通話デバイス７０は、ＰＳＴＮインターフェース７６を介してＦＡＸデータを受信する場合に、当該ＦＡＸデータを無線で多機能機１０に送信する。多機能機１０は、通話デバイス７０から無線で送信されるＦＡＸデータが、無線インターフェース２０で受信される場合に、当該ＦＡＸデータによって表わされる画像の印刷を印刷実行部１６に実行させる。これにより、ＦＡＸの受信動作が実行される。
【００４１】
また、多機能機１０は、スキャン実行部１８が原稿をスキャンすることによって生成されるＦＡＸデータを、通話デバイス７０に無線で送信する。通話デバイス７０は、多機能機１０から無線で送信されるＦＡＸデータが、無線インターフェース７８で受信される場合に、ユーザによって予め指定された宛先に向けて、ＰＳＴＮ８を介して当該ＦＡＸデータを送信する。これにより、ＦＡＸの送信動作が実行される。
【００４２】
なお、多機能機１０は、ＰＳＴＮ８を介して受信したＦＡＸデータによって表わされる画像をユーザに提供（即ち印刷）する機能を備えているが、通話デバイス７０は、当該機能を備えていない。また、多機能機１０は、原稿をスキャンして、ＰＳＴＮ８を介して送信されるべきＦＡＸデータを生成する機能を備えているが、通話デバイス７０は、当該機能を備えていない。即ち、通話デバイス７０は、多機能機１０に代わってＰＳＴＮ８を介してＦＡＸデータを受信可能であると共に、多機能機１０に代わってＰＳＴＮ８を介してＦＡＸデータを送信可能である。従って、通話デバイス７０は、多機能機１０の付属装置であると言える。なお、本実施例では、多機能機１０は、ＦＡＸデータによって表わされる画像を印刷することによって、当該画像をユーザに提供するが、変形例では、多機能機１０は、ＦＡＸデータによって表わされる画像を表示することによって、当該画像をユーザに提供してもよい。一般的に言うと、「ユーザに提供」は、印刷と表示との少なくとも一方を含む。
【００４３】
上述したように、通話デバイス７０は、多機能機１０の付属装置であり、印刷実行部１６及びスキャン実行部１８を備えていない。従って、通話デバイス７０は、多機能機１０と比べると、小さいサイズを有する。通常、家庭内では、ＰＳＴＮ用ソケットの位置が決められている。仮に、多機能機１０にＰＳＴＮケーブルを接続しなければならない構成を採用すると、ＰＳＴＮ用ソケットの近傍に多機能機１０を配置する必要がある。多機能機１０は、比較的に大きいサイズを有するために、ＰＳＴＮ用ソケットの近傍にスペースが少ない環境では、ＰＳＴＮ用ソケットの近傍に多機能機１０を配置するのが困難である。これに対し、本実施例では、比較的に小さいサイズを有する通話デバイス７０にＰＳＴＮインターフェース７６が設けられている。従って、ＰＳＴＮ用ソケットの近傍にスペースが少ない環境でも、ＰＳＴＮ用ソケットの近傍に通話デバイス７０を容易に配置して、通話デバイス７０をＰＳＴＮ８に接続することができる。さらに、多機能機１０をＰＳＴＮ用ソケットの近傍に限らず、自由に配置することができる。
【００４４】
（多機能機１０が実行する処理）
続いて、図２のフローチャートを参照して、多機能機１０が実行する処理の内容について説明する。多機能機１０の電源がＯＮされると、制御部３０は、図２のフローチャートの処理を開始する。なお、多機能機１０の電源がＯＮされる際に、制御部３０は、制御部３０に内蔵されている確認タイマをリセットしてスタートさせる。また、多機能機１０の電源がＯＮされる際に、指定設定領域３６に指定設定ＷＳ２が格納されている場合には、制御部３０は、無線設定ワーク領域４２に指定設定ＷＳ２を格納する。一方において、多機能機１０の電源がＯＮされる際に、指定設定領域３６に指定設定ＷＳ２が格納されていない場合（即ち指定設定ＷＳ２が未だに指定されていない場合）には、制御部３０は、無線設定ワーク領域４２に初期設定ＷＳ１を格納する。
【００４５】
（通信確認の送信に関する処理Ｓ１０〜Ｓ２０）
まず、Ｓ１０において、確認部５２（図１参照）は、確認タイマの値が所定値Ｔ１より大きいのか否かを判断する。確認タイマの値が所定値Ｔ１（例えば５分）以下である場合（Ｓ１０でＮＯ）には、Ｓ２２に進み、確認タイマの値が所定値Ｔ１より大きい場合（Ｓ１０でＹＥＳ）には、Ｓ１２に進む。Ｓ１２では、確認部５２は、無線設定ワーク領域４２に格納されている多機能機１０の現在の無線設定（即ち初期設定ＷＳ１又は指定設定ＷＳ２）を用いて、通信確認を無線で送信する。次いで、Ｓ１３において、確認部５２は、確認タイマをリセットしてスタートさせる。
【００４６】
次いで、Ｓ１４において、確認部５２は、Ｓ１２で送信した通信確認の応答を無線で受信したのか否かを判断する。即ち、確認部５２は、多機能機１０の現在の無線設定を用いて、通話デバイス７０と通信可能であるのか否かを確認する。確認部５２は、Ｓ１２で通信確認を送信してから所定時間以内に応答を受信した場合に、通話デバイス７０と通信可能であると確認し（Ｓ１４でＹＥＳ）、現在の無線設定（即ち初期設定ＷＳ１又は指定設定ＷＳ２）が変更されることなく、Ｓ２２に進む。一方において、確認部５２は、Ｓ１２で通信確認を送信してから上記の所定時間以内に応答を受信しない場合に、通話デバイス７０と通信不可能であると確認し（Ｓ１４でＮＯ）、Ｓ１６に進む。
【００４７】
Ｓ１６では、確認部５２は、多機能機１０の現在の無線設定が初期設定ＷＳ１であるのか否かを判断する。具体的には、確認部５２は、無線設定ワーク領域４２に格納されている無線設定と、初期設定領域３８に格納されている初期設定ＷＳ１と、を比較する。確認部５２は、前者と後者とが一致する場合に、多機能機１０の現在の無線設定が初期設定ＷＳ１であると判断し（Ｓ１６でＹＥＳ）、Ｓ２２に進む。一方において、確認部５２は、前者と後者とが一致しない場合に、多機能機１０の現在の無線設定が初期設定ＷＳ１でない、即ち、多機能機１０の現在の無線設定が指定設定ＷＳ２である、と判断し（Ｓ１６でＮＯ）、Ｓ１８に進む。
【００４８】
Ｓ１８では、変更部５４（図１参照）は、多機能機１０の現在の無線設定を、指定設定ＷＳ２から初期設定ＷＳ１に変更する。具体的に言うと、変更部５４は、無線設定ワーク領域４２に格納されている情報を、指定設定ＷＳ２から、初期設定領域３８内の初期設定ＷＳ１に変更する。このように、確認部５２が、通話デバイス７０と通信不可能であると確認し、かつ、多機能機１０の現在の無線設定が指定設定ＷＳ２であると判断した場合には、多機能機１０の無線設定は、指定設定ＷＳ２から初期設定ＷＳ１に変更される。次いで、変更部５４は、Ｓ２０において、制御部３０に内蔵されていている初期タイマをリセットしてスタートさせる。Ｓ２０を終えた場合には、Ｓ２２に進む。
【００４９】
（通信確認の受信に関する処理Ｓ２２及びＳ２４）
後で詳しく説明するが、通話デバイス７０は、多機能機１０に通信確認を無線で送信する（図３のＳ１１２、Ｓ１４４、Ｓ１５２参照）。この場合、多機能機１０と通話デバイス７０が適切に無線通信を実行可能な状況では、多機能機１０の制御部３０は、多機能機１０の現在の無線設定を用いて、通信確認を無線で受信して、Ｓ２２でＹＥＳと判断する。なお、上記の「多機能機１０と通話デバイス７０が適切に無線通信を実行可能な状況」は、例えば、以下のような場合である。例えば、多機能機１０及び通話デバイス７０の両方に同じ無線設定（初期設定ＷＳ１でも指定設定ＷＳ２でもよい）が設定されており、さらに、上記のＳ１２の通信確認の際に、多機能機１０が通話デバイス７０から応答を受信した場合（Ｓ１４でＹＥＳ）である。また、例えば、多機能機１０の無線設定として指定設定ＷＳ２が設定されていると共に、通話デバイス７０の無線設定として初期設定ＷＳ１が設定されているために、上記のＳ１２の通信確認の際に、多機能機１０が通話デバイス７０から応答を受信せず（Ｓ１４でＮＯ）、その結果、Ｓ１８において多機能機１０の無線設定が指定設定ＷＳ２から初期設定ＷＳ１に変更された場合である。Ｓ２２でＹＥＳと判断すると、Ｓ２４において、制御部３０は、多機能機１０の現在の無線設定を用いて、当該通信確認の応答を無線で送信する。Ｓ２２でＮＯの場合、又は、Ｓ２４を終えた場合には、Ｓ２６に進む。
【００５０】
（ＰＳＴＮ８を介したＦＡＸデータの受信に関する処理Ｓ２６〜Ｓ３０）
後で詳しく説明するが、通話デバイス７０は、ＰＳＴＮ８を介して受信したＦＡＸデータ（以下では「印刷対象のＦＡＸデータ」と呼ぶ）を、多機能機１０に無線で送信する（図３のＳ１５８参照）。この場合、多機能機１０と通話デバイス７０が適切に無線通信を実行可能な状況では、受信部５８（図１参照）は、多機能機１０の現在の無線設定を用いて、通話デバイス７０から印刷対象のＦＡＸデータを無線で受信して、Ｓ２６でＹＥＳと判断する。この場合、Ｓ２８において、提供部６０（図１参照）は、印刷対象のＦＡＸデータによって表わされる画像の印刷を印刷実行部１６に実行させる。これにより、当該画像がユーザに提供される。
【００５１】
なお、上記のＳ１８の処理が実行されたことによって、多機能機１０の現在の無線設定が初期設定ＷＳ１である場合には、Ｓ３０において、変更部５４は、多機能機１０の現在の無線設定を、初期設定ＷＳ１から指定設定ＷＳ２に変更する（即ち初期設定ＷＳ１から指定設定ＷＳ２に戻す）。具体的に言うと、変更部５４は、無線設定ワーク領域４２に格納されている情報を、初期設定ＷＳ１から、指定設定領域３６内の指定設定ＷＳ２に変更する。このように、上記のＳ１８において多機能機１０の現在の無線設定が指定設定ＷＳ２から初期設定ＷＳ１に変更されても、多機能機１０が通話デバイス７０からＦＡＸデータを受信した後（Ｓ２６でＹＥＳ）に、多機能機１０の現在の無線設定は、変更前の指定設定ＷＳ２に戻される。Ｓ３０では、さらに、変更部５４は、初期タイマをリセットする。Ｓ２６でＮＯの場合、又は、Ｓ３０を終えた場合には、Ｓ３２に進む。なお、上記のＳ１８の処理が実行されずに、多機能機１０の現在の無線設定が初期設定ＷＳ１である場合（例えば指定設定ＷＳ２が未だに指定されていない場合等）には、Ｓ３０をスキップしてＳ３２に進む。
【００５２】
（初期タイマの監視に関する処理Ｓ３２及びＳ３４）
Ｓ３２では、判断部６２（図１参照）は、初期タイマの値が所定値Ｔ２より大きいのか否かを判断する。初期タイマの値が所定値Ｔ２（例えば１分）以下である場合（Ｓ３２でＮＯ）には、Ｓ３４を経ることなく、Ｓ４０に進む。初期タイマの値が所定値Ｔ２より大きい場合（Ｓ３２でＹＥＳ）には、Ｓ３４に進む。Ｓ３４では、上記のＳ３０と同様に、変更部５４は、多機能機１０の現在の無線設定を、初期設定ＷＳ１から指定設定ＷＳ２に変更する。即ち、上記のＳ１８において多機能機１０の現在の無線設定が初期設定ＷＳ１に変更され、Ｓ２０において初期タイマがスタートしてからＴ２経過するまでは、初期設定ＷＳ１が維持される。但し、初期タイマがスタートしてからＴ２経過するまでに、上記のＳ２２で通信確認を受信し、かつ、Ｓ２６でＦＡＸデータを受信した場合には、ＦＡＸデータの印刷が完了するまで初期設定ＷＳ１が維持される。また、上記のＳ２０において初期タイマがスタートしてからＴ２経過しても、通信確認を受信せず（Ｓ２２でＮＯ）、かつ、ＦＡＸデータを受信しない（Ｓ２６でＮＯ）場合には、多機能機１０は、通話デバイス７０から多機能機１０へのＦＡＸデータの転送がないものとして、現在の無線設定を指定設定ＷＳ２に戻す。Ｓ３４では、さらに、変更部５４は、初期タイマをリセットする。Ｓ３４を終えた場合には、Ｓ４０に進む。
【００５３】
（ＰＳＴＮ８を介したＦＡＸデータの送信に関する処理Ｓ４０〜Ｓ６０）
Ｓ４０では、確認部５２は、多機能機１０の操作部１２にＦＡＸ送信操作（即ち、宛先の指定のための操作、及び、スキャン実行ボタンの操作）が実行されたのか否かを判断する。ＦＡＸ送信操作が実行されない場合（Ｓ４０でＮＯ）には、Ｓ１０に戻り、ＦＡＸ送信操作が実行された場合（Ｓ４０でＹＥＳ）には、Ｓ４２に進む。Ｓ４２では、制御部３０は、原稿のスキャンをスキャン実行部１８に実行させる。これにより、ＰＳＴＮ８を介して送信されるべきＦＡＸデータ（以下では「送信対象のＦＡＸデータ」と呼ぶ）が生成される。
【００５４】
次いで、Ｓ４４において、確認部５２は、多機能機１０の現在の無線設定を用いて、通話デバイス７０に通信確認を無線で送信する。次いで、Ｓ４６において、Ｓ１４と同様に、確認部５２は、Ｓ４４で送信した通信確認の応答を無線で受信したのか否かを判断する。通話デバイス７０と通信可能であると確認される場合（Ｓ４６でＹＥＳ）に、Ｓ５８に進み、通話デバイス７０と通信不可能であると確認される場合（Ｓ４６でＮＯ）に、Ｓ４８に進む。
【００５５】
Ｓ４８では、Ｓ１６と同様に、確認部５２は、多機能機１０の現在の無線設定が初期設定ＷＳ１であるのか否かを判断する。多機能機１０の現在の無線設定が初期設定ＷＳ１である場合（Ｓ４８でＹＥＳ）に、Ｓ５２に進む。一方において、多機能機１０の現在の無線設定が初期設定ＷＳ１でない場合、即ち、多機能機１０の現在の無線設定が指定設定ＷＳ２である場合（Ｓ４８でＮＯ）に、Ｓ５０に進む。Ｓ５０では、Ｓ１８と同様に、変更部５４は、多機能機１０の現在の無線設定を、指定設定ＷＳ２から初期設定ＷＳ１に変更する。このように、確認部５２が、通話デバイス７０と通信不可能であると確認し、かつ、多機能機１０の現在の無線設定が指定設定ＷＳ２であると判断した場合には、多機能機１０の無線設定は、指定設定ＷＳ２から初期設定ＷＳ１に変更される。
【００５６】
次いで、Ｓ５２において、確認部５２は、多機能機１０の現在の無線設定（即ち初期設定ＷＳ１）を用いて、通信確認を無線で送信する。次いで、Ｓ５４において、Ｓ１４と同様に、確認部５２は、Ｓ５２で送信した通信確認の応答を無線で受信したのか否かを判断する。通話デバイス７０と通信可能であると確認される場合（Ｓ５４でＹＥＳ）に、Ｓ５８に進み、通話デバイス７０と通信不可能であると確認される場合（Ｓ５４でＮＯ）に、Ｓ５６に進む。Ｓ５６では、制御部３０は、エラー処理を実行する。具体的には、制御部３０は、ＰＳＴＮ８を介したＦＡＸデータの送信を実行不可能であることを示す情報を表示部１４に表示させる。Ｓ５６を終えた場合には、Ｓ１０に戻る。
【００５７】
Ｓ５８では、送信部５６（図１参照）は、多機能機１０の現在の無線設定を用いて、Ｓ４２で生成された送信対象のＦＡＸデータを通話デバイス７０に無線で送信する。なお、上記のＳ５０の処理が実行されたことによって、多機能機１０の現在の無線設定が初期設定ＷＳ１である場合には、Ｓ６０において、上記のＳ３０と同様に、変更部５４は、多機能機１０の現在の無線設定を、初期設定ＷＳ１から指定設定ＷＳ２に変更する。Ｓ６０を終えた場合には、Ｓ１０に戻る。なお、上記のＳ５０の処理が実行されずに、多機能機１０の現在の無線設定が初期設定ＷＳ１である場合（例えば指定設定ＷＳ２が未だに指定されていない場合等）には、Ｓ６０をスキップしてＳ１０に戻る。また、例えば、Ｓ１８において、多機能機１０の現在の無線設定が初期設定ＷＳ１に変更され、かつ、初期タイマの値が所定値Ｔ２以下である状態（Ｓ３２でＮＯ）でＦＡＸ送信操作が実行された場合（Ｓ４０でＹＥＳ）には、Ｓ４８でＹＥＳと判断されるために、Ｓ５０が実行されない。従って、このような場合も、Ｓ６０が実行されない。この結果、初期タイマの値が所定値Ｔ２を経過するまで（Ｓ３２でＹＥＳ）、多機能機１０の現在の無線設定として初期設定ＷＳ１が維持される。但し、Ｓ２２で通信確認を受信し、かつ、Ｓ２６で通話デバイス７０からＦＡＸデータを受信した場合には、ＦＡＸデータの印刷が完了するまで初期設定ＷＳ１が維持される。
【００５８】
（通話デバイス７０が実行する処理）
続いて、図３のフローチャートを参照して、通話デバイス７０が実行する処理の内容について説明する。なお、多機能機１０の場合と同様に、通話デバイス７０の電源がＯＮされる際に、制御部８０は、制御部８０に内蔵されている確認タイマをリセットしてスタートさせる。さらに、制御部８０は、指定設定領域８６に指定設定ＷＳ３が格納されている場合には、無線設定ワーク領域９２に指定設定ＷＳ３を格納し、指定設定領域８６に指定設定ＷＳ３が格納されていない場合には、無線設定ワーク領域９２に初期設定ＷＳ１を格納する。
【００５９】
なお、図３のＳ１１０〜Ｓ１６０の処理の中には、図２のＳ１０〜Ｓ６０の処理と同様のものが多いために、以下では、Ｓ１１０〜Ｓ１６０の処理の内容を簡単に説明する。図３のＳ１１０〜Ｓ１６０の処理の具体的な内容については、図２のＳ１０〜Ｓ６０の処理を参照すれば、容易に理解可能である。
【００６０】
（通信確認の送信に関する処理Ｓ１１０〜Ｓ１１８）
まず、Ｓ１１０において、確認部１０２（図１参照）は、確認タイマの値が所定値Ｔ３より大きいのか否かを判断する。確認タイマの値が所定値Ｔ３（例えば５分）以下である場合（Ｓ１１０でＮＯ）には、Ｓ１２２に進み、確認タイマの値が所定値Ｔ３より大きい場合（Ｓ１１０でＹＥＳ）には、Ｓ１１２に進む。Ｓ１１２では、確認部１０２は、無線設定ワーク領域９２に格納されている通話デバイス７０の現在の無線設定（即ち初期設定ＷＳ１又は指定設定ＷＳ３）を用いて、通信確認を無線で送信する。次いで、Ｓ１１３において、確認部１０２は、確認タイマをリセットしてスタートさせる。
【００６１】
次いで、Ｓ１１４において、確認部１０２は、Ｓ１１２で送信した通信確認の応答を無線で受信したのか否かを判断する。多機能機１０と通信不可能であることが確認される場合（Ｓ１１４でＮＯ）には、Ｓ１１６において、確認部１０２は、通話デバイス７０の現在の無線設定が初期設定ＷＳ１であるのか否かを判断する。通話デバイス７０の現在の無線設定が初期設定ＷＳ１でない場合、即ち、通話デバイス７０の現在の無線設定が指定設定ＷＳ３である場合（Ｓ１１６でＮＯ）には、Ｓ１１８において、変更部１０４（図１参照）は、通話デバイス７０の現在の無線設定を、指定設定ＷＳ３から初期設定ＷＳ１に変更する。このように、確認部１０２が、多機能機１０と通信不可能であると確認し、かつ、通話デバイス７０の現在の無線設定が指定設定ＷＳ３であると判断した場合には、通話デバイス７０の無線設定は、指定設定ＷＳ３から初期設定ＷＳ１に変更される。なお、多機能機１０の場合と異なり、通話デバイス７０では、初期タイマが利用されない（図２のＳ２０参照）。なお、Ｓ１１４でＹＥＳの場合、Ｓ１１６でＹＥＳの場合、又は、Ｓ１１８を終えた場合には、Ｓ１２２に進む。
【００６２】
（通信確認の受信に関する処理Ｓ１２２及びＳ１２４）
上述したように、多機能機１０は、通話デバイス７０に通信確認を無線で送信する（図２のＳ１２、Ｓ４４、Ｓ５２参照）。この場合、多機能機１０と通話デバイス７０が適切に無線通信を実行可能な状況では、通話デバイス７０の制御部８０は、Ｓ１２２でＹＥＳと判断し、Ｓ１２４において、通話デバイス７０の現在の無線設定を用いて、通信確認の応答を無線で送信する。なお、上記の「多機能機１０と通話デバイス７０が適切に無線通信を実行可能な状況」は、例えば、次のような場合である。例えば、多機能機１０及び通話デバイス７０の両方に同じ無線設定（初期設定ＷＳ１でも指定設定ＷＳ２でもよい）が設定されており、さらに、上記のＳ１１２の通信確認の際に、通話デバイス７０が多機能機１０から応答を受信した場合（Ｓ１１４でＹＥＳ）である。また、例えば、多機能機１０の無線設定として初期設定ＷＳ１が設定されていると共に、通話デバイス７０の無線設定として指定設定ＷＳ３が設定されているために、上記のＳ１１２の通信確認の際に、通話デバイス７０が多機能機１０から応答を受信せず（Ｓ１１４でＮＯ）、その結果、Ｓ１１８において通話デバイス７０の無線設定が指定設定ＷＳ３から初期設定ＷＳ１に変更された場合である。Ｓ１２２でＮＯの場合、又は、Ｓ１２４を終えた場合には、Ｓ１２６に進む。
【００６３】
（ＰＳＴＮ８を介したＦＡＸデータの送信に関する処理Ｓ１２６〜Ｓ１３０）
上述したように、多機能機１０は、通話デバイス７０に送信対象のＦＡＸデータを無線で送信する（図２のＳ５８参照）。この場合、多機能機１０と通話デバイス７０が適切に無線通信を実行可能な状況では、受信部１０８（図１参照）は、通話デバイス７０の現在の無線設定を用いて、多機能機１０から送信対象のＦＡＸデータを無線で受信して、Ｓ１２６でＹＥＳと判断する。なお、Ｓ１２６では、受信部１０８は、ユーザによって指定された宛先（即ちＦＡＸ識別情報（例えばＦＡＸ番号））も無線で受信する。次いで、Ｓ１２８において、ＦＡＸ通信部１１０（図１参照）は、ＰＳＴＮインターフェース７６を用いて、多機能機１０から受信した宛先に発呼する。これにより、通話デバイス７０と宛先との間で呼が成立する。次いで、ＦＡＸ通信部１１０は、送信対象のＦＡＸデータをＰＳＴＮ８を介して送信する。
【００６４】
なお、上記のＳ１１８の処理が実行されたことによって、通話デバイス７０の現在の無線設定が初期設定ＷＳ１である場合には、Ｓ１３０において、変更部１０４は、通話デバイス７０の現在の無線設定を、初期設定ＷＳ１から指定設定ＷＳ３に変更する。このように、上記のＳ１１８において通話デバイス７０の現在の無線設定が指定設定ＷＳ３から初期設定ＷＳ１に変更されても、通話デバイス７０が多機能機１０からＦＡＸデータを受信した後（Ｓ１２６でＹＥＳ）に、通話デバイス７０の現在の無線設定は、変更前の指定設定ＷＳ３に戻される。Ｓ１２６でＮＯの場合、又は、Ｓ１３０を終えた場合には、Ｓ１４０に進む。
【００６５】
（ＰＳＴＮ８を介したＦＡＸデータの受信に関する処理Ｓ１４０〜Ｓ１６０）
他のファクシミリ装置からＰＳＴＮ８を介して印刷対象のＦＡＸデータが通話デバイス７０に送信される場合に、ＦＡＸ通信部１１０は、印刷対象のＦＡＸデータを受信して、Ｓ１４０でＹＥＳと判断する。この場合、Ｓ１４４において、確認部１０２は、通話デバイス７０の現在の無線設定を用いて、多機能機１０に通信確認を無線で送信する。
【００６６】
次いで、Ｓ１４６において、確認部１０２は、Ｓ１４４で送信した通信確認の応答を無線で受信したのか否かを判断する。多機能機１０と通信不可能であることが確認される場合（Ｓ１４６でＮＯ）には、Ｓ１４８において、確認部１０２は、通話デバイス７０の現在の無線設定が初期設定ＷＳ１であるのか否かを判断する。通話デバイス７０の現在の無線設定が初期設定ＷＳ１である場合（Ｓ１４８でＹＥＳ）には、Ｓ１５２に進む。一方において、通話デバイス７０の現在の無線設定が初期設定ＷＳ１でない場合、即ち、通話デバイス７０の現在の無線設定が指定設定ＷＳ３である場合（Ｓ１４８でＮＯ）には、Ｓ１５０に進む。Ｓ１５０では、変更部１０４は、通話デバイス７０の現在の無線設定を、指定設定ＷＳ３から初期設定ＷＳ１に変更する。このように、確認部１０２が、多機能機１０と通信不可能であると確認し、かつ、通話デバイス７０の現在の無線設定が指定設定ＷＳ３であると判断した場合には、通話デバイス７０の無線設定は、指定設定ＷＳ３から初期設定ＷＳ１に変更される。
【００６７】
次いで、Ｓ１５２において、確認部１０２は、通話デバイス７０の現在の無線設定（即ち初期設定ＷＳ１）を用いて、通信確認を無線で送信する。次いで、Ｓ１５４において、確認部１０２は、Ｓ１５２で送信した通信確認の応答を無線で受信したのか否かを判断する。多機能機１０と通信不可能であることが確認される場合（Ｓ１５４でＮＯ）には、Ｓ１５６において、制御部８０は、印刷対象のＦＡＸデータの印刷を実行不可能であることを示す情報を、印刷対象のＦＡＸデータの送信元に送信する。Ｓ１５６を終えた場合には、Ｓ１１０に戻る。なお、Ｓ１４６でＹＥＳの場合、又は、Ｓ１５４でＹＥＳの場合には、Ｓ１５８に進む。
【００６８】
Ｓ１５８では、送信部１０６（図１参照）は、通話デバイス７０の現在の無線設定を用いて、印刷対象のＦＡＸデータを多機能機１０に無線で送信する。なお、上記のＳ１５０の処理が実行されたことによって、通話デバイス７０の現在の無線設定が初期設定ＷＳ１である場合には、Ｓ１６０において、変更部１０４は、通話デバイス７０の現在の無線設定を、初期設定ＷＳ１から指定設定ＷＳ３に変更する。Ｓ１６０を終えた場合には、Ｓ１１０に戻る。
【００６９】
（具体例）
続いて、多機能機１０及び通話デバイス７０によって実現される具体的なケースについて説明する。以下の各ケースは、多機能機１０及び通話デバイス７０が図２及び図３のフローチャートを実行することによって実現される。
【００７０】
（ケースＡ）
まず、図４及び図５を参照して、ＰＳＴＮ８を介して印刷対象のＦＡＸデータを受信するケースＡについて説明する。上述したように、ユーザによって指定設定ＷＳ２及び指定設定ＷＳ３が指定される前には、多機能機１０及び通話デバイス７０のそれぞれの現在の無線設定は、同じアドホックの初期設定ＷＳ１である。
【００７１】
図４に示されるように、多機能機１０の確認部５２は、確認タイマの値が所定値Ｔ１より大きくなる毎に、初期設定ＷＳ１を用いて、通話デバイス７０に通信確認を無線で送信する（図２のＳ１０）。即ち、多機能機１０の確認部５２は、通話デバイス７０に通信確認を無線で送信することを繰り返す。通話デバイス７０の制御部８０は、初期設定ＷＳ１を用いて、ＡＰ６を介さずに、多機能機１０から通信確認を受信する（図３のＳ１２２でＹＥＳ）。この場合、通話デバイス７０の制御部８０は、初期設定ＷＳ１を用いて、多機能機１０に通信確認の応答を無線で送信する（図３のＳ１２４）。多機能機１０の確認部５２は、初期設定ＷＳ１を用いて、ＡＰ６を介さずに、通信確認の応答を受信する（図２のＳ１４でＹＥＳ）。この結果、多機能機１０の現在の無線設定として、初期設定ＷＳ１が維持される。
【００７２】
Ｓ２００において、通話デバイス７０のＦＡＸ通信部１１０は、ＰＳＴＮ８を介して印刷対象のＦＡＸデータを受信する（図３のＳ１４０でＹＥＳ）。この場合、通話デバイス７０の確認部１０２は、初期設定ＷＳ１を用いて、多機能機１０に通信確認を無線で送信する（図３のＳ１４４）。多機能機１０の制御部３０は、初期設定ＷＳ１を用いて、ＡＰ６を介さずに、通話デバイス７０から通信確認を受信する（図２のＳ２２でＹＥＳ）。この場合、多機能機１０の制御部３０は、初期設定ＷＳ１を用いて、通話デバイス７０に通信確認の応答を無線で送信する（図２のＳ２４）。これにより、通話デバイス７０の確認部１０２は、初期設定ＷＳ１を用いて、ＡＰ６を介さずに、通信確認の応答を受信する（図３のＳ１４６でＹＥＳ）。
【００７３】
次いで、通話デバイス７０の送信部１０６は、初期設定ＷＳ１を用いて、多機能機１０に印刷対象のＦＡＸデータを無線で送信する（図３のＳ１５８）。多機能機１０の受信部５８は、初期設定ＷＳ１を用いて、ＡＰ６を介さずに、印刷対象のＦＡＸデータを無線で受信する（図２のＳ２６でＹＥＳ）。次いで、Ｓ２０２において、多機能機１０の提供部６０は、印刷対象のＦＡＸデータによって表わされる画像の印刷を印刷実行部１６に実行させる（図２のＳ２８）。
【００７４】
（設定変更）
例えば、ユーザが、多機能機１０及びＰＣ４がＡＰ６を介して無線通信可能なシステムを構築することを望むことがある。この場合、ユーザは、多機能機１０の無線設定として、インフラストラクチャの指定設定ＷＳ２を指定する。そうすると、多機能機１０の現在の無線設定である指定設定ＷＳ２と、通話デバイス７０の現在の無線設定である初期設定ＷＳ１と、が異なるために、多機能機１０と通話デバイス７０とが通信不可能になってしまう。従って、ユーザは、さらに、通話デバイス７０の無線設定として、インフラストラクチャの指定設定ＷＳ３を指定する。この際に、ユーザが、通話デバイス７０の無線設定として、指定設定ＷＳ２と同じ指定設定ＷＳ３を適切に指定した場合には、次のケースＡ１が実現される。これに対し、ユーザが、通話デバイス７０の無線設定として、指定設定ＷＳ２と異なる指定設定ＷＳ３を誤って指定した場合には、図５のケースＡ２が実現される。
【００７５】
（ケースＡ１）
ケースＡ１では、多機能機１０及び通話デバイス７０は、指定設定ＷＳ２及びＷＳ３を用いて、ＡＰ６を介して、適切に無線通信を実行可能である。従って、ＡＰ６を介して無線通信が実行される点を除くと、初期設定ＷＳ１を用いて無線通信が実行される上記のケースと同様である。即ち、多機能機１０と通話デバイス７０との間では、通信確認、通信確認の応答、及び、印刷対象のＦＡＸデータが、ＡＰ６を介して、適切に通信される。従って、Ｓ２１０でＰＳＴＮ８を介して受信される印刷対象のＦＡＸデータによって表わされる画像が、Ｓ２１２で適切に印刷される。
【００７６】
（ケースＡ２）
一方において、図５に示されるように、ケースＡ２では、多機能機１０の確認部５２は、指定設定ＷＳ２を用いて、通話デバイス７０に通信確認を無線で送信しても（図２のＳ１０）、通信確認の応答を受信することができない（図２のＳ１４でＮＯ）。この場合、Ｓ２２０において、多機能機１０の変更部５４は、多機能機１０の現在の無線設定を、指定設定ＷＳ２から初期設定ＷＳ１に変更する（図２のＳ１８）。そして、多機能機１０は、初期タイマの値が所定値Ｔ２を経過するまでの間に、通話デバイス７０から通信確認を受信したのか否かを判断する（図２のＳ２２でＮＯ、かつ、Ｓ２６でＮＯ、かつ、Ｓ３２でＮＯ）。一方、多機能機１０は、初期タイマの値が所定値Ｔ２を経過するまでの間に、通話デバイス７０から通信確認を受信した場合（図２のＳ２２でＹＥＳ）には、通話デバイス７０から受信したＦＡＸデータを印刷した後に、多機能機１０の現在の無線設定を初期設定ＷＳ１から指定設定ＷＳ２に戻す。即ち、初期タイマの値が所定値Ｔ２を経過するまで、又は、印刷対象のＦＡＸデータの印刷が完了するまで、多機能機１０の現在の無線設定として、初期設定ＷＳ１が維持される。
【００７７】
Ｓ２２２でＰＳＴＮ８を介して印刷対象のＦＡＸデータが受信される際に、通話デバイス７０の確認部１０２は、指定設定ＷＳ３を用いて、多機能機１０に通信確認を無線で送信しても（図３のＳ１４４）、通信確認の応答を受信することができない（図３のＳ１４６でＮＯ）。この場合、Ｓ２２４において、通話デバイス７０の変更部１０４は、通話デバイス７０の現在の無線設定を、指定設定ＷＳ３から初期設定ＷＳ１に変更する（図３のＳ１５０）。次いで、通話デバイス７０の確認部１０２は、初期設定ＷＳ１を用いて、多機能機１０に通信確認を無線で送信する（図３のＳ１５２）。多機能機１０及び通話デバイス７０のそれぞれに同じ初期設定ＷＳ１が設定されているために、多機能機１０は、ＡＰ６を介さずに、当該通信確認を受信して応答を送信し（図２のＳ２４）、通話デバイス７０は、ＡＰ６を介さずに、当該応答を受信する（図３のＳ１５４でＹＥＳ）。
【００７８】
次いで、通話デバイス７０の送信部１０６は、初期設定ＷＳ１を用いて、多機能機１０に印刷対象のＦＡＸデータを無線で送信する（図３のＳ１５８）。多機能機１０の受信部５８は、初期設定ＷＳ１を用いて、ＡＰ６を介さずに、印刷対象のＦＡＸデータを無線で受信する（図２のＳ２６でＹＥＳ）。この結果、印刷対象のＦＡＸデータの送信及び受信が完了する（Ｓ２２６，Ｓ２２８）。次いで、Ｓ２３０において、印刷対象のＦＡＸデータによって表わされる画像の印刷が実行される。
【００７９】
次いで、Ｓ２３２において、多機能機１０の変更部５４は、印刷対象のＦＡＸデータの受信が完了した際に（より具体的には印刷が終了した際に）、多機能機１０の現在の無線設定を、初期設定ＷＳ１から指定設定ＷＳ２に変更する（図２のＳ３０）。これにより、多機能機１０は、指定設定ＷＳ２を用いて、ＡＰ６を介して、他のデバイス（例えばＰＣ４）と無線通信を再び実行し得る。また、Ｓ２３４において、通話デバイス７０の変更部５４は、印刷対象のＦＡＸデータの送信が完了した際に、通話デバイス７０の現在の無線設定を、初期設定ＷＳ１から指定設定ＷＳ３に変更する（図３のＳ１６０）。これにより、通話デバイス７０の無線設定が、ユーザによって指定された変更前の指定設定ＷＳ３に戻る。
【００８０】
なお、初期タイマの値が所定値Ｔ２より大きくなる（図２のＳ３２でＹＥＳ）ということは、以下のことを意味する。即ち、通話デバイス７０が印刷対象のＦＡＸデータを受信する際に多機能機１０に送信する通信確認（以下では「特定の通信確認」と呼ぶ）を、初期タイマの値が所定値Ｔ２を経過するまでの間に、多機能機１０が受信しないことを意味する。従って、図２のＳ３２の処理は、多機能機１０の判断部６２が、初期タイマの値が所定値Ｔ２を経過するまでの間に、特定の通信確認を通話デバイス７０から受信したのか否かを判断する処理であると言える。特定の通信確認を受信しなかったと判断される場合（図２のＳ３２でＹＥＳ）には、図５のＳ２３６に示されるように、多機能機１０の変更部５４は、多機能機１０の現在の無線設定を、初期設定ＷＳ１から指定設定ＷＳ２に変更する（図２のＳ３４）。この構成によると、多機能機１０の現在の無線設定として初期設定ＷＳ１が維持され続けるのを抑制することができ、この結果、多機能機１０は、指定設定ＷＳ２を用いて、ＡＰ６を介して、他のデバイス（例えばＰＣ４）と無線通信を実行し得る。
【００８１】
（ケースＡの効果）
上記のケースＡ２から明らかなように、多機能機１０は、多機能機１０の現在の無線設定（即ち指定設定ＷＳ２）を用いて、通話デバイス７０と通信可能であるのか否かを確認することを繰り返す。多機能機１０は、通話デバイス７０と通信不可能であることが確認される場合に、現在の無線設定を指定設定ＷＳ２から初期設定ＷＳ１に変更する。一方において、通話デバイス７０は、印刷対象のＦＡＸデータが多機能機１０に送信されるべき際（図３のＳ１４０でＹＥＳ）に、通話デバイス７０の現在の無線設定（即ち指定設定ＷＳ３）を用いて、多機能機１０と通信可能であるのか否かを確認する。通話デバイス７０は、多機能機１０と通信不可能であることが確認される場合に、現在の無線設定を指定設定ＷＳ３から初期設定ＷＳ１に変更する。この結果、多機能機１０及び通話デバイス７０のそれぞれに同じ初期設定ＷＳ１が設定されるために、通話デバイス７０は、変更後の現在の無線設定（即ち初期設定ＷＳ１）を用いて、印刷対象のＦＡＸデータを多機能機１０に無線で送信することができ、多機能機１０は、変更後の現在の無線設定（即ち初期設定ＷＳ１）を用いて、印刷対象のＦＡＸデータを通話デバイス７０から無線で受信することができる。従って、多機能機１０及び通話デバイス７０が適切に無線通信することができない事象が発生するのを抑制し得る。
【００８２】
（ケースＢ）
続いて、図６及び図７を参照して、ＰＳＴＮ８を介して送信対象のＦＡＸデータを送信するケースＢについて説明する。図６に示されるように、通話デバイス７０の確認部１０２は、初期設定ＷＳ１を用いて、多機能機１０に通信確認を無線で送信することを繰り返す（図３のＳ１１０）。多機能機１０及び通話デバイス７０のそれぞれに同じ初期設定ＷＳ１が設定されているために、多機能機１０は、ＡＰ６を介さずに、当該通信確認を受信して応答を送信し（図２のＳ２４）、通話デバイス７０は、ＡＰ６を介さずに、当該応答を受信する（図３のＳ１１４でＹＥＳ）。この結果、通話デバイス７０の現在の無線設定として、初期設定ＷＳ１が維持される。
【００８３】
Ｓ２４０でＦＡＸ送信操作が実行されると（図２のＳ４０でＹＥＳ）、多機能機１０の確認部５２は、初期設定ＷＳ１を用いて、通話デバイス７０に通信確認を無線で送信する（図２のＳ４４）。多機能機１０及び通話デバイス７０のそれぞれに同じ初期設定ＷＳ１が設定されているために、通話デバイス７０は、ＡＰ６を介さずに、当該通信確認を受信して応答を送信し（図３のＳ１２４）、多機能機１０は、ＡＰ６を介さずに、当該応答を受信する（図２のＳ４６でＹＥＳ）。
【００８４】
次いで、多機能機１０の送信部１０６は、初期設定ＷＳ１を用いて、通話デバイス７０に送信対象のＦＡＸデータを無線で送信する（図２のＳ５８）。通話デバイス７０の受信部１０８は、初期設定ＷＳ１を用いて、ＡＰ６を介さずに、送信対象のＦＡＸデータを無線で受信する（図３のＳ１２６でＹＥＳ）。次いで、Ｓ２４２において、通話デバイス７０のＦＡＸ通信部１１０は、ＰＳＴＮ８を介して、送信対象のＦＡＸデータを送信する（図３のＳ１２８）。
【００８５】
ユーザが、多機能機１０の無線設定として、指定設定ＷＳ２を指定し、さらに、通話デバイス７０の無線設定として、指定設定ＷＳ２と同じ指定設定ＷＳ３を適切に指定した場合には、次のケースＢ１が実現される。これに対し、ユーザが、通話デバイス７０の無線設定として、指定設定ＷＳ２と異なる指定設定ＷＳ３を誤って指定した場合には、図７のケースＢ２が実現される。
【００８６】
（ケースＢ１）
ケースＢ１では、多機能機１０及び通話デバイス７０は、指定設定ＷＳ２及びＷＳ３を用いて、ＡＰ６を介して、適切に無線通信を実行可能である。従って、Ｓ２５０でＦＡＸ送信操作が実行される場合に、多機能機１０と通話デバイス７０との間では、通信確認、通信確認の応答、及び、送信対象のＦＡＸデータが、ＡＰ６を介して、適切に通信される。この結果、Ｓ２５２において、送信対象のＦＡＸデータがＰＳＴＮ８を介して送信される。
【００８７】
（ケースＢ２）
一方において、図７に示されるように、ケースＢ２では、通話デバイス７０の確認部１０２は、指定設定ＷＳ３を用いて、多機能機１０に通信確認を無線で送信しても（図３のＳ１１０）、通信確認の応答を受信することができない（図３のＳ１１４でＮＯ）。この場合、Ｓ２６０において、通話デバイス７０の変更部１０４は、通話デバイス７０の現在の無線設定を、指定設定ＷＳ３から初期設定ＷＳ１に変更する（図３のＳ１１８）。なお、通話デバイス７０では、初期タイマが利用されない。即ち、通話デバイス７０は、無線設定が初期設定ＷＳ１に変更されると（図３のＳ１１８）、送信対象のＦＡＸデータを受信するまで、現在の無線設定として初期設定ＷＳ１を維持する。これにより、多機能機１０は、より確実にＦＡＸデータを送信することができる。所定時間経過後に通話デバイス７０の無線設定が初期設定ＷＳ１から指定設定ＷＳ３に戻る構成と比べて、多機能機１０及び通話デバイス７０の無線設定が行き違いになること（異なること）を防ぐことができるためである。なお、通話デバイス７０の現在の無線設定として初期設定ＷＳ１が長時間に亘って維持される可能性があるが、通話デバイス７０は、多機能機１０以外のデバイス（例えばＰＣ４）と無線通信する必要がないために、不都合は生じない。
【００８８】
Ｓ２６２でＦＡＸ送信操作が実行される際に、多機能機１０の確認部５２は、指定設定ＷＳ２を用いて、通話デバイス７０に通信確認を無線で送信しても（図２のＳ４４）、通信確認の応答を受信することができない（図２のＳ４６でＮＯ）。この場合、Ｓ２６４において、多機能機１０の変更部５４は、多機能機１０の現在の無線設定を、指定設定ＷＳ２から初期設定ＷＳ１に変更する（図２のＳ５０）。次いで、多機能機１０の確認部５２は、初期設定ＷＳ１を用いて、通話デバイス７０に通信確認を無線で送信する（図２のＳ５２）。多機能機１０及び通話デバイス７０のそれぞれに同じ初期設定ＷＳ１が設定されているために、通話デバイス７０は、ＡＰ６を介さずに、当該通信確認を受信して応答を送信し（図３のＳ１２４）、多機能機１０は、ＡＰ６を介さずに、当該応答を受信する（図２のＳ５４でＹＥＳ）。
【００８９】
次いで、多機能機１０の送信部５６は、初期設定ＷＳ１を用いて、通話デバイス７０に送信対象のＦＡＸデータを無線で送信する（図２のＳ５８）。通話デバイス７０の受信部１０８は、初期設定ＷＳ１を用いて、ＡＰ６を介さずに、送信対象のＦＡＸデータを無線で受信する（図３のＳ１２６でＹＥＳ）。この結果、送信対象のＦＡＸデータの送信及び受信が完了する（Ｓ２６６，Ｓ２６８）。次いで、Ｓ２７０において、通話デバイス７０のＦＡＸ通信部１１０は、ＰＳＴＮ８を介して送信対象のＦＡＸデータを送信する（図３のＳ１２８）。
【００９０】
次いで、Ｓ２７２において、多機能機１０の変更部５４は、送信対象のＦＡＸデータの送信が完了した際に、多機能機１０の現在の無線設定を、初期設定ＷＳ１から指定設定ＷＳ２に変更する（図２のＳ６０）。これにより、多機能機１０は、指定設定ＷＳ２を用いて、ＡＰ６を介して、他のデバイス（例えばＰＣ４）と無線通信を再び実行し得る。また、Ｓ２７４において、通話デバイス７０の変更部５４は、送信対象のＦＡＸデータの受信が完了した際に、通話デバイス７０の現在の無線設定を、初期設定ＷＳ１から指定設定ＷＳ３に変更する（図３のＳ１３０）。これにより、通話デバイス７０の無線設定が、ユーザによって指定された変更前の指定設定ＷＳ３に戻る。
【００９１】
（ケースＢの効果）
上記のケースＢ２から明らかなように、通話デバイス７０は、通話デバイス７０の現在の無線設定（即ち指定設定ＷＳ３）を用いて、多機能機１０と通信可能であるのか否かを確認することを繰り返す。通話デバイス７０は、多機能機１０と通信不可能であることが確認される場合に、現在の無線設定を指定設定ＷＳ３から初期設定ＷＳ１に変更する。一方において、多機能機１０は、送信対象のＦＡＸデータが通話デバイス７０に送信されるべき際（図２のＳ４０でＹＥＳ）に、多機能機１０の現在の無線設定（即ち指定設定ＷＳ２）を用いて、通話デバイス７０と通信可能であるのか否かを確認する。多機能機１０は、通話デバイス７０と通信不可能であることが確認される場合に、現在の無線設定を指定設定ＷＳ２から初期設定ＷＳ１に変更する。この結果、多機能機１０及び通話デバイス７０のそれぞれに同じ初期設定ＷＳ１が設定されるために、多機能機１０は、変更後の現在の無線設定（即ち初期設定ＷＳ１）を用いて、送信対象のＦＡＸデータを通話デバイス７０に無線で送信することができ、通話デバイス７０は、変更後の現在の無線設定（即ち初期設定ＷＳ１）を用いて、送信対象のＦＡＸデータを多機能機１０から無線で受信することができる。従って多機能機１０及び通話デバイス７０が適切に無線通信することができない事象が発生するのを抑制し得る。
【００９２】
なお、指定設定ＷＳ２及び指定設定ＷＳ３が同じであっても、例えば、多機能機１０及び通話デバイス７０の少なくとも一方とＡＰ６との距離が大きい場合には、多機能機１０及び通話デバイス７０が、指定設定ＷＳ２及び指定設定ＷＳ３を用いて、インフラストラクチャの無線通信を実行することができない可能性がある。このような場合にも、多機能機１０及び通話デバイス７０の無線設定は、指定設定ＷＳ２及び指定設定ＷＳ３から初期設定ＷＳ１に変更される。これにより、多機能機１０及び通話デバイス７０は、初期設定ＷＳ１を用いて、アドホックの無線通信を実行し得る。従って、上記のケースＡ及びＢの技術は、指定設定ＷＳ２及び指定設定ＷＳ３が異なることに起因して無線通信を実行できないケースＡ２，Ｂ２のみならず、多機能機１０及び通話デバイス７０の設置環境に起因して無線通信を実行できないケースにも適用できる。
【００９３】
上記の説明から明らかなように、図４及び図５のケースＡでは、多機能機１０、通話デバイス７０が、それぞれ、「データ受信装置」、「データ送信装置」の一例である。従って、ケースＡでは、通話デバイス７０の確認部１０２、変更部１０４が、それぞれ、「第１の確認部」、「第１の変更部」の一例であり、多機能機１０の確認部５２、変更部５４が、それぞれ、「第２の確認部」、「第２の変更部」の一例である。また、ケースＡでは、初期設定ＷＳ１が「第１の無線設定」の一例であるが、指定設定ＷＳ２が「データ受信装置の第２の無線設定」の一例であり、指定設定ＷＳ３が「データ送信装置の第２の無線設定」の一例である。
【００９４】
また、図６及び図７のケースＢでは、多機能機１０、通話デバイス７０が、それぞれ、「データ送信装置」、「データ受信装置」の一例である。従って、ケースＢでは、多機能機１０の確認部５２、変更部５４が、それぞれ、「第１の確認部」、「第１の変更部」の一例であり、通話デバイス７０の確認部１０２、変更部１０４が、それぞれ、「第２の確認部」、「第２の変更部」の一例である。また、ケースＢでは、初期設定ＷＳ１が「第１の無線設定」の一例であるが、指定設定ＷＳ２が「データ送信装置の第２の無線設定」の一例であり、指定設定ＷＳ３が「データ受信装置の第２の無線設定」の一例である。
【００９５】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。例えば、以下の変形例を採用してもよい。
【００９６】
（１）上記の実施例では、アドホックの無線設定ＷＳ１から、インフラストラクチャの無線設定ＷＳ２，ＷＳ３に設定変更が行なわれる。ただし、上記の実施例の技術は、アドホックの無線設定ＷＳ１から、アドホックの無線設定に設定変更が行なわれる構成にも適用することができる。また、インフラストラクチャの無線設定ＷＳ１から、インフラストラクチャ又はアドホックの無線設定に設定変更が行なわれる構成にも適用することができる。即ち、一般的に言うと、「第１の無線設定」は、アドホックの無線設定でもよいし、インフラストラクチャの無線設定でもよい。さらに、「第１の無線設定」は、出荷段階において予め格納されている無線設定に限らず、ユーザによって指定（設定）されるアドホックの無線設定でもよいし、ユーザによって指定（設定）されるインフラストラクチャの無線設定でもよい。同様に、「第２の無線設定」は、アドホックの無線設定でもよいし、インフラストラクチャの無線設定でもよい。また、「第１の無線設定」と「第２の無線設定」とは、同じモードの無線設定でもよいし、異なるモードの無線設定でもよい。
【００９７】
（２）上記の実施例では、多機能機１０と通話デバイス７０との間で通信される通信対象のデータは、ＦＡＸデータである。即ち、一般的に言うと、「特定のデータ」は、ＦＡＸデータを含む。しかしながら、「特定のデータ」は、音声データ（例えば留守番電話の音声データ）、ＦＡＸデータ以外の画像データ、その他の種類のデータ（例えばテキストデータ）等を含んでいてもよい。
【００９８】
（３）上記の実施例では、多機能機１０及び通話デバイス７０が、「データ送信装置」及び「データ受信装置」の一例であるが、これに限られない。例えば、「データ送信装置」及び「データ受信装置」のそれぞれがＰＣであってもよい。この場合、一対のＰＣの間でデータを通信するために、本明細書によって開示される技術が利用されてもよい。また、例えば、「データ送信装置」がＰＣであり、「データ受信装置」がプリンタであってもよい。この場合、例えば、ＰＣが多機能機１０に印刷の実行を指示するための印刷データが「特定のデータ」の一例である。
【００９９】
（４）また、上記の実施例では、各部５２〜６２、及び、各部１０２〜１１０は、ＣＰＵ３２，８２がプログラムを実行することによって実現される。これに代えて、各部５２〜６２、及び、各部１０２〜１１０のうちの少なくとも一部は、論理回路等のハードウェアによって実現されてもよい。
【０１００】
（５）また、通話デバイス７０は、１個のデバイスによって構成されてもよいし、別体の複数個のデバイスによって構成されていてもよい。具体的には、通話デバイス７０は、マイク７２とスピーカ７４とを備える子機と、ＰＳＴＮインターフェース７６と無線インターフェース７８と制御部８０とを備える充電器と、によって構成されていてもよい。一般的に言うと、「データ送信装置」及び／又は「データ受信装置」は、１個のデバイスによって構成されてもよいし、別体の複数個のデバイスによって構成されてもよい。
【０１０１】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【０１０２】
ＷＳ１：初期設定、ＷＳ２：指定設定、ＷＳ３：指定設定、１０：多機能機、７０：通話デバイス
【図１】
0005569362.tif 000002
【図２】
0005569362.tif 000003
【図３】
0005569362.tif 000004
【図４】
0005569362.tif 000005
【図５】
0005569362.tif 000006
【図６】
0005569362.tif 000007
【図７】
0005569362.tif 000008